(57)【要約】【課題】少ない部品点数で、電池室内における電池の動きを低減する。【解決手段】電池室２１の開口部２１ａの近傍に配設されるロック部材１７は、回動軸２０を中心に回動し、電池室２１に装填された電池１５が抜けないように保持する保持位置と、電池室２１から電池１５を挿脱可能にする挿脱位置との間を回動可能である。ロック部材１７が保持位置にあるとき、保持部１７ａは、電池１５の露出側端面１５ａに対向するよう位置して、電池１５の抜け止めの機能を果たす。それと共に、押圧部１７ｃが、電池１５の、蓋回動軸１８に遠い側（一方側）で短辺Ｓ３側の第１の側面１５ｂの開口側端部１５ｂ１を蓋軸側方向Ｆ１（他方側）に押圧する。【選択図】図３
2012129160.tif 000002
【特許請求の範囲】
【請求項１】
開口部が形成され、前記開口部から電池が装填される電池室と、
前記電池室の前記開口部の近傍において可動可能に配設され、前記電池室に装填された前記電池の、前記開口部の側における端部を保持して、抜け止め機能を果たすロック部材とを有し、
前記ロック部材には、前記電池室に装填されている前記電池を保持した状態において、前記電池の挿入方向から見て、前記開口部の長手方向における一方側に近い側の前記電池の側面を前記開口部の長手方向における他方側の方向に押圧する押圧部が設けられていることを特徴とする電子機器。
【請求項２】
前記電池室における前記電池の挿入方向の奥側に、前記電池の端子部と接触して電力を得るための電池接片部が設けられ、前記電池接片部は、前記電池の挿入方向から見て、前記開口部の長手方向における前記他方側寄りに位置することを特徴とする請求項１記載の電子機器。
【請求項３】
前記電池室は、前記電池の挿入方向及び前記開口部の長手方向の双方に垂直な方向から見て四角形であり、前記ロック部材の前記押圧部と前記電池接片部とは、前記四角形において対角の関係となる位置に配置されたことを特徴とする請求項２記載の電子機器。
【請求項４】
前記ロック部材は、回動軸を中心に、前記電池室に装填される前記電池を保持する保持位置と前記電池を前記電池室から挿脱可能にする挿脱位置との間を回動することが可能であり、前記電池の挿入方向から見て、前記ロック部材が前記挿脱位置から前記保持位置の方向に回動するにつれて、前記押圧部が前記開口部の長手方向における前記他方側の方向に変位することを特徴とする請求項１〜３のいずれか１項に記載の電子機器。
【請求項５】
前記電池の挿入方向から見て、前記開口部の長手方向における前記他方側で且つ、前記電池の挿入方向及び前記開口部の長手方向の双方に垂直な方向における前記開口部に対する前記ロック部材が配設されている側で、前記開口部の長手方向に沿う直線と前記回動軸の軸線とが成す鋭角が、０°より大きく４５°より小さいことを特徴とする請求項４記載の電子機器。
【発明の詳細な説明】
【技術分野】
【０００１】
本発明は、本体を駆動するための電源となる電池が着脱可能に装填される電子機器に関する。
【背景技術】
【０００２】
従来、デジタルカメラ等の携帯型を主とする電子機器においては、通常、電子機器本体を駆動するための電源となる電池が着脱可能な構成とされている。そのような電子機器には、電池が装填される電池室の開口部を覆うための開閉自在な蓋を備えるものもある。この種の機器では、蓋を開けることにより本体内部に対して電池を着脱可能であるが、電池室と電池間の隙間によるガタが発生し易い。これは電池の製造公差と電池の熱膨張時の膨らみ量を考慮し、電池室を予め大きく設計しているからである。
【０００３】
ところが、上記のガタの存在は、電池の端子部と電子機器の本体側の電池接片部との接圧を不安定にしてしまうことがある。例えば、落下等の衝撃が電子機器の本体に加わった場合に、電池室内で電池が動いてしまい、接触状態が不安定となって電源電圧が低下し駆動できなくなるといったおそれがあった。
【０００４】
このような問題を解決するために、特許文献１の電子機器のように、電池室内の２面から、電池の挿入方向に直交する方向に移動自在な可動壁を設けることで、電池室収納時の電池のガタを低減させることが提案されている。
【先行技術文献】
【特許文献】
【０００５】
【特許文献１】特開２００９−１２９８２８号公報
【発明の概要】
【発明が解決しようとする課題】
【０００６】
しかしながら、特許文献１の構成においては、電池のガタを低減させるだけのために可動壁を設けるので、部品点数が増加し、コストアップに繋がる。さらには、蓋の開閉動作に連動して可動壁を可動させるための機構が複雑化しスペースを必要とするため、電子機器本体の小型化の阻害にもなっている。
【０００７】
本発明は上記従来技術の問題を解決するためになされたものであり、その目的は、少ない部品点数で、電池室内における電池の動きを低減することができる電子機器を提供することにある。
【課題を解決するための手段】
【０００８】
上記目的を達成するために本発明は、開口部が形成され、前記開口部から電池が装填される電池室と、前記電池室の前記開口部の近傍において可動可能に配設され、前記電池室に装填された前記電池の、前記開口部の側における端部を保持して、抜け止め機能を果たすロック部材とを有し、前記ロック部材には、前記電池室に装填されている前記電池を保持した状態において、前記電池の挿入方向から見て、前記開口部の長手方向における一方側に近い側の前記電池の側面を前記開口部の長手方向における他方側の方向に押圧する押圧部が設けられていることを特徴とする。
【発明の効果】
【０００９】
本発明によれば、少ない部品点数で、電池室内における電池の動きを低減することができる。
【図面の簡単な説明】
【００１０】
【図１】本発明の第１の実施の形態に係る電子機器の底面側の斜視図、電池蓋が開蓋状態となっている本体の部分拡大図である。
【図２】電池蓋を開蓋状態にした本体の部分底面図である。
【図３】本体の横断面図、縦断面図である。
【図４】第２の実施の形態に係る電子機器の電池蓋を開蓋状態にした本体の部分底面図、横断面図である。
【発明を実施するための形態】
【００１１】
以下、本発明の実施の形態を図面を参照して説明する。
【００１２】
（第１の実施の形態）
図１（ａ）は、本発明の第１の実施の形態に係る電子機器の底面側の斜視図である。この電子機器は、一例として、デジタルカメラとして構成される。図１（ａ）では、デジタルカメラの本体１１の底面１１ａが見えている。本体１１の前側にはレンズ鏡筒１２が設けられる。レンズ鏡筒１２がある側が被写体側であるので前側とする。本体１１の後側には不図示の液晶表示部が配設され、使用者（撮影者）の目は、通常、本体１１の後側に位置する。
【００１３】
レンズ鏡筒１２より得た被写体像が不図示のＣＣＤ撮像素子で受光され、画像データが生成される。底面１１ａには三脚取り付けネジ部１３及び開閉自在な電池蓋１４が設けられる。電池蓋１４は、蓋回動軸１８を中心に開閉可能となっている。
【００１４】
図１（ｂ）は、電池蓋１４が開蓋状態となっている本体１１の部分拡大図である。このデジタルカメラは挿脱可能な電池１５が本体１１に装填され、その電力によって動作する。本体１１には、底面１１ａの側に開口した電池室２１が設けられる。電池室２１の開口部２１ａから電池１５が抜き差しされる。電池１５の前側には、画像データを記録するメディアであるメモリーカード１６が挿脱可能となっている。デジタルカメラの使用者は、電池蓋１４を開閉することにより、電池１５やメモリーカード１６を本体１１から任意に着脱することが可能となる。電池室２１において、閉蓋された電池蓋１４によって隠れる箇所に、ロック部材１７が設けられる。
【００１５】
図２（ａ）、（ｂ）は、電池蓋１４を開蓋状態にした本体１１の部分底面図である。ロック部材１７は、本体１１に対して固定された回動軸２０を中心に回動可能に配設される。ロック部材１７は、電池室２１に装填された電池１５が抜けないように保持する保持位置（図２（ａ））と、電池室２１に対して電池１５を挿脱可能にする挿脱位置（図２（ｂ））との間を回動することが可能である。
【００１６】
図２（ａ）に示すように、電池室２１の開口部２１ａは、底面１１ａを正面視とする方向（電池１５の挿入方向Ｆ２：図３（ｂ））から見ると、底面１１ａの長手方向に長い略長方形となっている。開口部２１ａの長手方向に沿う直線を直線Ｌとする。電池室２１に装填された電池１５は、その端部である露出側端面１５ａが開口部２１ａから露出している。電池蓋１４を閉じると露出側端面１５ａは隠れる。
【００１７】
図３（ａ）は、本体１１の横断面図である。図３（ｂ）は、本体１１の直線Ｌに平行な縦断面図である。電池１５の概略的な立体的形状は、直方体である。まず、図２（ａ）に示すように、電池１５の露出側端面１５ａは挿入方向Ｆ２から見て略長方形である。露出側端面１５ａの四方の辺は、長辺Ｓ１、Ｓ２と短辺Ｓ３、Ｓ４である。開口部２１ａの形状は電池１５の露出側端面１５ａの形状に対応している。また、図３（ｂ）に示すように、挿入方向Ｆ２及び直線Ｌの双方に垂直な方向（前後方向）から見た電池１５の概略形状は、四角形、特に挿入方向Ｆ２に長い長方形である。
【００１８】
電池室２１の内部寸法は、電池１５の製造公差や熱膨張を考慮して余裕を持たせてある。従って、装填状態にある電池１５は、直線Ｌに沿う方向については、特に拘束しない限り、第１の側面１５ｂ、第２の側面１５ｃのいずれかまたは双方が、電池室２１の内壁に対して空隙を保っている。電池１５の側面のうち、第１の側面１５ｂは、蓋回動軸１８に遠い側（一方側）で短辺Ｓ３側の側面である。第２の側面１５ｃは、蓋回動軸１８に近い側（他方側）で短辺Ｓ４側の側面である。
【００１９】
本実施の形態では、後述するように、ロック部材１７によって、第１の側面１５ｂの開口側端部１５ｂ１を直線Ｌに沿う蓋回動軸１８の方向（以下、「蓋軸側方向Ｆ１」と称する：図３（ａ））に押圧する。電池１５の奥側端面１５ｄにおける、直線Ｌに沿う蓋回動軸１８に近い側（上記他方側寄り）の位置１５ｄ１には、電極である端子部２２が設けられる。一方、電池室２１には、端子部２２に対応し、電池接片部１９が設けられている。電池接片部１９が端子部２２に対して接触位置Ｔにて接触することで、本体１１が動作するための電力が得られる。
【００２０】
図２（ａ）に示すように、電池１５の露出側端面１５ａの長辺Ｓ１、Ｓ２と回動軸２０の軸線と直線Ｌとは互いに平行である。回動軸２０は、開口部２１ａの近傍で、長辺Ｓ１と短辺Ｓ３とに近接した位置に配置される。ロック部材１７は、不図示のバネによって、保持位置への回動方向に常に付勢されている。挿脱位置（図２（ｂ））となることによって、ロック部材１７は、挿入方向Ｆ２から見て開口部２１ａと干渉しない位置まで退避することができる。
【００２１】
ロック部材１７は、保持部１７ａ、爪掛け部１７ｂ、押圧部１７ｃ、前壁部１７ｄを備え、樹脂等で一体に形成され、開口部２１ａの近傍に配設される。ロック部材１７が保持位置にあるとき、保持部１７ａは、電池１５の露出側端面１５ａに対向するよう位置して、電池１５の抜け止めの機能を果たす（図２（ａ）、図３（ｂ））。使用者は、爪掛け部１７ｂを操作して、保持位置にあるロック部材１７を挿脱位置の方向に回動させることができる。それにより、使用者は装填されている電池１５を取り出すことができる。
【００２２】
電池１５を取り出した状態においては、ロック部材１７はバネ力によって保持位置に戻る。しかし、保持部１７ａの露出側の面には、後側及び蓋回動軸１８の側に低くなっているテーパ面が設けられている。そのため、電池１５を挿入方向Ｆ２（図３（ｂ））に沿って挿入しようとすると電池１５が上記テーパ面に当接し、ロック部材１７が挿脱位置（図２（ｂ））の方向に自然に退避するよう回動動作する。従って、使用者は、特にロック解除を意識することなく、電池１５の装填操作を行える。
【００２３】
ロック部材１７が保持位置にあるとき、押圧部１７ｃは第１の側面１５ｂに当接するよう位置し（図３（ａ）、（ｂ））、前壁部１７ｄは、電池１５の前面１５ｅに近接または当接するよう位置する（図３（ａ））。押圧部１７ｃのうち、第１の側面１５ｂに対向する面には、挿脱位置から保持位置の方向に回動するにつれて第１の側面１５ｂへの付勢力が強くなるようなテーパ形状を設けてもよい。
【００２４】
電池１５は、前後方向から見て四角形で、且つ前後方向に薄い形状あるので、電池室２１内で電池１５が図３（ｂ）の時計・反時計方向に回転変位した場合の電池接片部１９と端子部２２との当接状態の変化が大きい。電池１５は、前後方向よりも直線Ｌに沿う方向に長いため、同じ角度で傾いたとしても、前後方向よりも図３（ｂ）の時計・反時計方向に傾いた場合の方が、電池１５の奥側端面１５ｄの最大変位量が大きいからである。そのため、両者の接圧が不安定となりやすい。
【００２５】
ところが、押圧部１７ｃが第１の側面１５ｂの開口側端部１５ｂ１を蓋軸側方向Ｆ１に付勢するので、電池１５は直線Ｌに沿う蓋回動軸１８の方向に寄せられ、電池室２１内でのがたつきが抑制される。特に、押圧部１７ｃと電池接片部１９とは、上記の四角形における対角の関係となる位置に配置されている。第１の側面１５ｂのうち特に開口側端部１５ｂ１が押圧されることから、電池１５は、図３（ｂ）の時計方向に付勢されることにもなる。これによって、接触位置Ｔにおいて電池接片部１９と端子部２２との適切な接触状態が確実に確保される。
【００２６】
本実施の形態によれば、電池１５が装填されロック部材１７が保持位置にあるとき、押圧部１７ｃが電池１５の第１の側面１５ｂを押圧するので、電池室２１内における電池１５の不用意な動きが抑制される。しかも、押圧部１７ｃは、装填状態にある電池１５の抜け止め機能を果たす保持部１７ａと一体に形成される。電池蓋１４とは別に、通常設けられる抜け止め機構と一体に押圧部１７ｃを設けたので、構成が簡単で部品点数が増えることもない。よって、少ない部品点数で、電池室２１内における電池１５の動きを低減することができる。従って、落下等の衝撃が本体１１に加わった場合でも、電池接片部１９と端子部２２との接圧を安定させることができ、電源電圧が低下し駆動できなくなるといった心配がなくなる。
【００２７】
特に、押圧部１７ｃと電池接片部１９とは、直方体の電池１５における対角の関係となる位置に配置されているので、電池接片部１９と端子部２２との接触状態を効果的に確保することができる。
【００２８】
ところで、本実施の形態では、ロック部材１７は回動という態様で可動可能であったが、これに限られない。例えば、電池室２１の開口部２１ａに設けたロック部材１７を水平方向にスライド可能に構成し、保持位置になると押圧部１７ｃが第１の側面１５ｂの開口側端部１５ｂ１を蓋軸側方向Ｆ１に押圧するように構成してもよい。その場合のスライド方向は、直線Ｌと平行であってもよいし、前後方向に対して少し角度を有した方向であってもよい。
【００２９】
（第２の実施の形態）
本発明の第２の実施の形態では、第１の実施の形態に対して、ロック部材１７の回動軸２０の角度を異ならせた点が相違し、その他の構成は、第１の実施の形態と同様である。
【００３０】
図４（ａ）は、第２の実施の形態に係る電子機器の電池蓋１４を開蓋状態にした本体１１の部分底面図である。図４（ｂ）は、本体１１の横断面図である。
【００３１】
図４（ａ）に示すように、回動軸２０の軸線Ｃは、開口部２１ａの長手方向に沿う直線を直線Ｌとは平行でない。軸線Ｃと直線Ｌとが、蓋回動軸１８（図１）の側で且つ前側で成す鋭角θは、０°に近い鋭角となっている。具体的には、スペース効率を考慮して、鋭角θを５°としている。従って、軸線Ｃは、回動軸２０に隣接する露出側端面１５ａの長辺Ｓ１に対しても鋭角θを成している。
【００３２】
このような鋭角θの設定となっていることで、挿入方向Ｆ２（図３（ｂ））から見て、ロック部材１７が挿脱位置から保持位置の方向に回動するにつれて、押圧部１７ｃが蓋軸側方向Ｆ１に確実に変位する。これにより、ロック部材１７が保持位置にあるとき、押圧部１７ｃが第１の側面１５ｂの開口側端部１５ｂ１を蓋軸側方向Ｆ１に押圧する効果が増し、電池１５のガタを抑える効果が高まる。
【００３３】
ところで、押圧部１７ｃによる第１の側面１５ｂの付勢効果を効率よく且つ適切に高める観点からは、鋭角θは０°より大きく４５°より小さければよい。
【００３４】
なお、仮に、回動軸２０を、長辺Ｓ１ではなく長辺Ｓ２の後側に近接させて設けた場合は、軸線Ｃの傾斜を図４（ａ）でいう右下がりとすればよく、軸線Ｃと直線Ｌとが蓋回動軸１８（図１）の側で且つ後側で鋭角θを成すようにする。すなわち、蓋回動軸１８（図１）の側で且つ、前後方向における開口部２１ａに対するロック部材１７が配設されている側で軸線Ｃと直線Ｌと成す鋭角θが上記のように設定されていればよい。
【００３５】
ところで、上記各実施の形態では、電池１５は直方体で、露出側端面１５ａは長方形としたが、これに限るものではない。例えば、長辺Ｓ１、Ｓ２や短辺Ｓ３、Ｓ４は直線でなくてもよく、露出側端面１５ａは楕円形であってもよい。特に、短辺Ｓ３、Ｓ４に相当する部分が円弧または半円状に湾曲した形状であってもよい。また、前後方向から見た電池１５の形状は、正方形でもよいし、直線Ｌに沿う方向が長い長方形であってもよい。
【００３６】
なお、ロック部材１７の押圧部１７ｃが電池１５を押圧する方向については、蓋回動軸１８との位置関係は問わない。また、直線Ｌに沿う方向において、電池接片部１９及び端子部２２とロック部材１７との配置位置は逆であってもよく、蓋回動軸１８との位置関係は問わない。
【００３７】
また、本発明が適用される電子機器は、デジタルスチルカメラやビデオカメラ等の撮像装置に限られず、挿脱可能な電池で動作する電子機器であればよい。携帯型の電子機器には特に好適である。
【００３８】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３９】
１１  本体
１５  電池
１５ａ  露出側端面
１５ｂ  第１の側面
１７  ロック部材
１７ｃ  押圧部
２０  回動軸
２１  電池室
２１ａ  開口部
【図１】
2012129160.tif 000003
【図２】
2012129160.tif 000004
【図３】
2012129160.tif 000005
【図４】
2012129160.tif 000006